(57)【要約】【課題】超音波溶接する際の素線切れや素線のばらけ等を防止することができ、同時に電線の止水処理を行うことができる電線と端子の接続方法を提供する。【解決手段】電線１７の端末側に、挿入孔１２を有する導電性の接続部材１０を被せ、接続部材１０の外周を全周に渡って圧縮成形して接続部材１０と電線１７の端末側を密着させた後、接続部材１０と端子とを超音波溶接する。ロータリスエージ加工により、接続部材１０の圧縮成形を行うことも有効である。電線１７が芯線部１８及び絶縁被覆部１９を有し、接続部材１０が芯線部１８に対する小孔部１４及び絶縁被覆部１９に対する大孔部１３を同心に有し、接続部材１０が圧縮成形された際に、絶縁被覆部１９と大孔部１３とが密着状態となるようにする。【選択図】　　　図１
2004071372.tif 000002
【特許請求の範囲】
【請求項１】
電線の端末側に、挿入孔を有する導電性の接続部材を被せ、該接続部材の外周を全周に渡って圧縮成形して該接続部材と該電線の端末側を密着させた後、該接続部材と端子とを超音波溶接することを特徴とする電線と端子の接続方法。
【請求項２】
ロータリスエージ加工により、前記接続部材を圧縮成形することを特徴とする請求項１記載の電線と端子の接続方法。
【請求項３】
前記電線が芯線部及び絶縁被覆部を有し、前記接続部材が該芯線部に対する小孔部及び該絶縁被覆部に対する大孔部を同心に有し、該絶縁被覆部と該大孔部とが密着するように該接続部材を圧縮成形することを特徴とする請求項１又は２記載の電線と端子の接続方法。
【請求項４】
超音波溶接後に、前記端子の圧着片で前記接続部材を圧着することを特徴とする請求項１〜３の何れか１項に記載の電線と端子の接続方法。
【発明の詳細な説明】
【０００１】
【発明の属する技術分野】
本発明は、車両搭載部品に電源電流や信号電流を流す電線と端子とを超音波溶接により接続する電線と端子の接続方法に関するものである。
【０００２】
【従来の技術】
従来、電線と端子の接続方法に関するものの一例として、特開昭５４−４３５８８号公報に記載されたものが知られている。
【０００３】
図７に示すように、この従来例は、電線５１の先端部５１ａを予め半円状に固めた後、固めた先端部５１ａを被接続線としての平角アルミ線５５とともに超音波溶接機５６のチップ５９とアンビル６０との間に挟み、振動エネルギーにより電線５１と平角アルミ線５５の接合界面６５（図８）を加熱溶融させて、溶接する方法の発明である。
【０００４】
電線５１の先端部５１ａを所定形状に固める際には、半円状の嵌合溝を有する上部電極とこの上部電極に対向する下部電極を有する図示しない抵抗溶接機を用いて行う。
【０００５】
図７において、５５は電線５１と接続される平角アルミ線、５６は超音波溶接機、５７は超音波発生源、５８は超音波発生源５７からの超音波を伝えるホーン、５９はホーン５８の先端部に設けられたチップである。
【０００６】
チップ５９は、超音波の振動方向ａに対して直角方向に形成された半円状の溝５９ａを有している。６０はチップ５９に対向して配設されたアンビルである。アンビル６０の上面は、平坦面に形成されている。
【０００７】
そして、超音波溶接機５６のアンビル６０上に平角アルミ線５５と電線５１とを重合した状態で載置し、チップ５９の溝５９ａが電線５１の先端部５１ａに嵌合するように、チップ５９をアンビル６０側へ近づける。そうすると、チップ５９の溝５９ａは電線５１の半円状の先端部５１ａより若干浅く形成されているので、電線５１は上方から押しつけられて保持される。
【０００８】
その後、超音波発生源５７からの超音波をホーン５８及びチップ５９を介して印加すると、チップ５９の溝５９ａの延長方向が振動方向ａに対して略直角方向に位置するため電線５１が拘束された状態で、振動エネルギーが電線５１と平角アルミ線５５との接合界面６５に伝わり、この接合界面６５が摩擦熱により加熱溶融することで電線５１と平角アルミ線５５とが接続する。
【０００９】
【発明が解決しようとする課題】
しかしながら、上記従来の電線と端子の接続方法では、解決すべき以下の問題点がある。
【００１０】
一つには、図８に示すように、被加工物である電線５１がチップ５９により加圧されると、チップ５９のエッジ部５９ｂと電線５１との境界部５１ｂに応力が集中し、さらに、チップ５９が超音波振動すると、チップ５９のエッジ部５９ｂと電線５１との境界部５１ｂとが擦れ合い、素線５１ｃ切れ等の損傷が生じるという問題がある。
【００１１】
また一つには、チップ５９の加圧力が大きく、超音波振動数が高い程、接合界面６５の加熱溶融が短時間で行われて、電線５１と平角アルミ線５５との溶接性が向上する一方で、複数の素線５１ｃがばらけ易くなるとともに、素線５１ｃ切れ等の損傷が生じやすくなるという問題がある。このため、加圧力が大きく、超音波振動数が高くても、素線５１ｃ切れ等の損傷が生ずることなく、電線５１と平角アルミ線５５との接続作業を簡易に行うことができる超音波接続方法が望まれていた。
【００１２】
さらには、バッテリに接続されて電源電流を流すための太物電線や、車両搭載部品に接続されて信号電流を流すための細物電線等の芯線部が露出されたままになっていると、導体部としての芯線部に水滴や塵埃等が付着して、芯線部と端子との接触性能が低下するという問題もある。
【００１３】
本発明は、上記した点に鑑み、超音波溶接する際の素線切れや素線のばらけ等を防止することができ、同時に電線の止水処理を行うことができる電線と端子の接続方法を提供することを目的とする。
【００１４】
【課題を解決するための手段】
上記目的を達成するために、請求項１記載の発明は、電線の端末側に、挿入孔を有する導電性の接続部材を被せ、該接続部材の外周を全周に渡って圧縮成形して該接続部材と該電線の端末側を密着させた後、該接続部材と前記端子とを超音波溶接することを特徴とする。
【００１５】
上記構成によれば、芯線部が接続部材の挿入孔に挿入され、接続部材の外周が全周に渡って圧縮成形されると、接続部材が縮径し、接続部材と芯線部とが密着する。そして、超音波溶接機のチップとアンビルとの間に、接続部材と端子とを重合させた状態で位置させ、チップとアンビルとを接近させて接続部材と端子とを加圧しながら、振動子及びホーンを介して振動エネルギーをチップに与えることより、接続部材と端子の接合界面で滑りと内部摩擦による加熱が同時に行われ、接合界面がある程度溶解しながら原子拡散が行われて、電線と端子とが接続部材を介して溶着する。
【００１６】
また、請求項２記載の発明は、請求項１記載の電線と端子の接続方法において、ロータリスエージ加工により、前記接続部材を圧縮成形することを特徴とする。
【００１７】
上記構成によれば、ロータリスエージング装置の放射状に配設された複数のダイスが、バッカ（ハンマー）との協働により半径方向に移動し、接続部材の外周が周期的に打撃され、接続部材の外周が全周に渡って均一な応力で隙間無く圧縮成形され、電線の芯線部が接続部材の挿入孔の内周面に緊密に密着する。
【００１８】
また、請求項３記載の発明は、請求項１又は２記載の電線と端子の接続方法において、前記電線が芯線部及び絶縁被覆部を有し、前記接続部材が該芯線部に対する小孔部及び該絶縁被覆部に対する大孔部を同心に有し、該絶縁被覆部と該大孔部とが密着するように該接続部材を圧縮成形することを特徴とする。
【００１９】
上記構成によれば、電線の絶縁被覆部が接続部材の大孔部の内周面に密着し、電線と接続部材の隙間が塞がれて、水滴や塵埃等が接続部材の中に浸入することが防止される。
【００２０】
また、請求項４記載の発明は、請求項１〜３の何れか１項に記載の電線と端子の接続方法において、超音波溶接後に、前記端子の圧着片で前記接続部材を圧着することを特徴とする。
【００２１】
上記構成によれば、端子に備わる圧着片を加締めることにより、接続部材と端子とが接続するから、溶接による固着力と加締めによる圧着力の双方の力で端子と接続部材とが接続する。
【００２２】
また、電線と端子の接続方法において、前記接続部材が小径部と大径部とを同心に有し、ロータリスエージング装置により該小径部と該大径部とが同時に圧縮成形されることを特徴とする。
【００２３】
上記構成によれば、接続部材の小径部と大径部とがロータリスエージング装置により同時に圧縮成形されるから、小径部と大径部の圧縮成形を別々に行う必要がなく、成形作業が能率化する。
【００２４】
【発明の実施の形態】
以下に本発明の実施の形態の具体例を図面を用いて詳細に説明する。
図１〜６は、本発明に係る電線と端子の接続方法の一実施形態を示すものである。
【００２５】
図１には、銅合金やアルミニウム合金などの導電性金属を構成材料とする接続キャップ（接続部材）１０と、接続キャップ１０の挿入孔１２に挿入される電線１７の端末側が示されている。
【００２６】
電線１７の端末側に、導電性の接続キャップ１０を被せ（図２）、後述するロータリスエージ加工により接続キャップ１０の外周を半径方向に圧縮し、接続キャップ１０と導電性の端子４０とを超音波溶接機３０（図６）のアンビル３１とチップ３２との間に挟み、超音波溶接することを本発明は第一の特徴としている。
【００２７】
電線１７は、複数の素線１８ａからなる芯線部１８と、芯線部１８の周囲を覆う絶縁被覆部１９とから構成されている。芯線部１８の構成材料は、特には限定されないが、銅、銅合金又はアルミニウム合金等からなっている。
【００２８】
芯線部１８を銅又は銅合金で構成する場合は、無酸素銅やタフピッチ銅などが用いられる。芯線部１８をアルミニウム合金で構成する場合は、Ｍｇ−Ｓｉ、Ｍｇ、Ｚｒなどの元素が添加された合金が用いられる。また、接触抵抗を低くし、電気伝導性を良くする場合には、亜鉛が添加されたアルミニウム合金が用いられることもある。
【００２９】
絶縁被覆部１９は、ポリエチレン樹脂、ポリ塩化ビニル樹脂、ポリプロピレン樹脂等の軟質の合成樹脂からなっている。樹脂材料の種類によっては、可塑材が添加されたものや（ポリ塩化ビニル樹脂）、架橋処理が施されたもの（ポリ塩化ビニル樹脂、ポリエチレン樹脂）が用いられる。芯線部１８を露出させる場合は、絶縁被覆部１９にカッターなどにより切り込みを入れて、引っ張ることで絶縁被覆部１９が皮剥きされる。
【００３０】
端子（図６）４０は、銅、銅合金又はアルミニウム合金等の導電性基板をプレス機にて打ち抜き、折り曲げ加工を経て一体的に形成された雌型の端子である。雌型の端子は、一側に箱状の電気接触部４３を有していて、相手端子である図示しない雄型端子のタブ状電気接触部と電気的に接続する。なお、端子４０は、雌型端子に限定されるものではなく、雄型端子や、ＬＡ端子等であってもよく、種々の電気接触部を有する端子が適用可能である。
【００３１】
端子４０の他側には、一対の圧着片４２，４２（片側のみを図示する）を有する電線接続部４１が形成されていて、接続キャップ１０に接続されるようになっている。接続キャップ１０の大径部１１には、一対の圧着片４２，４２が内側に加締められて圧着接続し、接続キャップ１０の小径部１５には、電線接続部４１の胴部４１ａが超音波溶接されて接続する（図６）。このため、端子４０と接続キャップ１０は、溶接による固着力と加締めによる圧着力の双方の力で確実に接続する
【００３２】
再び図１に示すように、接続キャップ１０は、段付き柱状をなし、小径部１５と大径部１１と同心に有している。絶縁キャップ１０の内側には、小孔部１４と大孔部１３とからなる挿入孔１２が形成されている。小径部１５に、電線１７の芯線部１８が挿入される断面円形状の小孔部１４が形成され、大径部１１に、電線１７の絶縁被覆部１９が挿入される断面円形状の大孔部１３が形成されている。小孔部１４は止まり孔になっていて、小孔部１４に挿入された芯線部１８の先端側が露出しないようになっている。
【００３３】
挿入孔１２は、超硬合金製のソリッドドリル（無垢ドリル）等を用いた孔明け加工により形成されている。小孔部１４と大孔部１３は、孔径が異なっているため、小径ドリルと大径ドリルの２本のソリッドドリルを用いて加工が行われる。ソリッドドリルの先端には、１２０°程度の先端角が形成されているため、小孔部１４の奧壁は円錐テーパ状に形成されている。
【００３４】
小孔部１４と大孔部１３の繋ぎ目である段部１６も、ソリッドドリルの先端形状が転写されるため、環状のテーパに形成されている。なお、段部１６を直角に形成して、例えばこの段部１６に絶縁被覆部１９の前端を当接させて、電線１７の長手方向の挿入長さを規定することも可能である。この場合は、孔明け加工の後に、９０°の刃先角を有するボーリング工具を用いて、段部１６を直角に切削加工する。
【００３５】
小孔部１４の内径は、芯線部１８の外径と同程度ないしそれよりやや大きく形成されている。小孔部１４の内径が芯線部１８の外径より小さいと、芯線部１８が接続キャップ１０にスムーズに挿入することができないからである。
【００３６】
大孔部１３の内径は、絶縁被覆部１９の外径と同程度ないしそれよりやや大きく形成されている。大孔部１３の内径が絶縁被覆部１９の外径より小さいと、絶縁被覆部１９を接続キャップ１０にスムーズに挿入できず、また、ロータリスエージ加工の際にエアが抜けず、絶縁キャップ１０を圧縮することができなくなるからである。
【００３７】
大孔部１３と絶縁被覆部１９との間に隙間があっても、ロータリスエージ加工により隙間が塞がれるから、内部に水滴や塵埃等が浸入することが防止されるようになっている。絶縁被覆部１９は、軟質の合成樹脂で形成されているため、絶縁被覆部１９が変形した際に、その弾性復元力で隙間が確実に塞がれるようになっている。
【００３８】
小孔部１４の孔長（孔深さ）は、芯線部１８の露出長さより長い寸法に形成されている。小孔部１４の孔長が芯線部１８の露出長さと同程度ないしそれより短いと、芯線部１８と小孔部１４との接触面積が小さくなり、電気的接続性が低下するためである。また、後述するロータリスエージ加工により、小径部１５の外周を圧縮した際、芯線部１８の伸長が小孔部１４の奧壁によって拘束されるからである。
【００３９】
大孔部１３の孔長は、電線１７が後方に後抜けしないように、絶縁被覆部１９を緊密に密着保持できる長さに形成されている。本実施形態では、大孔部１３の孔長は小孔部１４の孔長と同程度に形成されている。
【００４０】
大径部１１と小径部１５の肉厚は同程度に形成されていて、このため接続キャップ１０は段付き柱状をなしている。大径部１１は小径部１５よりも外径が大きく形成されているが、ロータリスエージング装置２０に備わるダイス２１の内面２１ａが段付き状に形成されたものを用いることで、大径部１１と小径部１５を同時に圧縮成形することができる。
【００４１】
なお、接続キャップ１０の壁部の肉厚が同じでなく、肉厚が異なる場合であっても、長手方向及び全周に渡って半径方向に均一に圧縮成形することが可能であれば、接続キャップ１０を長手方向に同径とし、円柱状に形成することも可能である。本実施形態においては、接続キャップ１０を段付き柱状に形成することで、小径部１５と大径部１１の肉厚が同程度となり、圧縮成形が容易に行われて、芯線部１８と絶縁被覆部１９を小孔部１４と大孔部１３の内周面に隙間無く緊密に密着させることができるようになっている。
【００４２】
図２には、電線１７の端末側に接続キャップ１０を被せた状態が示されている。電線１７の芯線部１８は小孔部１４に挿入され、電線１７の絶縁被覆部１９は大孔部１３に挿入されている。この状態で、電線１７はロータリスエージング装置２０（図３）にセットされて、接続キャップ１０の外周が全周に渡って均一に圧縮成形される。なお、接続キャップ１０の外周を均一に圧縮させることができるものであれば、ロータリスエージ加工に限らず他の加工方法でもよい。
【００４３】
次に、図３により、ロータリスエージ加工（回転鍛造加工）について詳細に説明する。ロータリスエージ加工は、ダイス又はローラの何れか一方を回転させながら、丸棒やパイプを繰り返し打撃して、加工素材を圧縮成形する鍛造加工の一種である。
【００４４】
図３に示すロータリスエージング装置２０は、スピンドル２４を回転させてダイス２１及びバッカ２２を旋回させるスピンドルドライブ方式の装置である。その他の駆動方式として、スピンドルを静止させてダイス及びバッカを回転させずに、ローラを転動させる方式もある。
【００４５】
スピンドルドライブ方式は、フライホイールやプーリ等を必要とせず、部品点数が少ない点で、装置全体を小型化でき、小径の加工素材を高精度に加工することができる利益がある。ダイスを転動させる方式では、円形以外の四角断面の成形などを行う場合に用いられる。本実施形態では、スピンドルドライブ方式を採用している。
【００４６】
スピンドルドライブ方式のロータリスエージング装置２０のスピンドル２４内には、ダイス２１及びバッカ２２が当接した状態で、可動的に保持されている。本実施形態においては、対向する各二対のダイス２１，２１，２１，２１が放射状に配置されている。スピンドル２４の中心には、ダイス２１内面２１ａに挟まれるような格好で加工素材としての接続キャップ１０が配置されている。このように、スピンドル２４の回転中心に、接続キャップ１０を配置することで、接続キャップ１０の外周を全周に渡って均一に打撃することができるようになっている。
【００４７】
４つのダイス２１，２１，２１，２１は、円周方向に等間隔に配置されている。ダイス２１の数は、４つに限定されるものではなく、二つ又は八つとすることもできる。ダイス２１を等間隔に配置することで、接続キャップ１０の外周を均一に圧縮することができるようになっている。
【００４８】
ダイス２１の内面２１ａは段付き状に形成されていて、放射状に配置されたダイス２１は、接続キャップ１０の小径部１５と大径部１１とを同時に加圧する。このようなダイスを段付き状に形成すれば、一つの加工工程で接続キャップ１０の小径部１５と大径部１１を同時に圧縮することができ、成形作業が容易化・効率化する。
【００４９】
なお、接続キャップ１０が円柱状であれば、ダイス２１の内面２１ａ形状を段付き状に形成する必要はなく、また、段付き柱状の接続キャップ１０の小径部１５と大径部１１とを個々にロータリスエージ加工する場合にも、ダイス２１の内面２１ａを段付き状に形成する必要がないことは勿論である。
【００５０】
ダイス２１の背後（半径方向外側）に配置されたバッカ２２は、ダイス２１とは別体であるが、ダイス２１と協動して旋回し、かつ半径方向（中心方向）に移動できるようになっている。旋回は、図示しないモータでスピンドル２４を回転させることによって行われる。半径方向への移動は、バッカ２２とローラ２３との回転接触によって行われる。
【００５１】
バッカ２２の外周面は、カム面２２ａになっている。このカム面２２ａは、一定の曲率半径に形成されているのではなく、幅方向中央部が半径方向外側に突出している。このため、バッカ２２がローラ２３に回転接触した際に、中央部の突出量に等しい分だけバッカ２２がローラ２３によって半径方向に押し込まれ、ダイス２１が半径方向に移動するようになっている。
【００５２】
スピンドル２４の外周とアウタリング２５との間には、球状の前記ローラ２３が等間隔で配置され、自転自在に軸支されている。ローラ２３の数は、ダイス２１の数に等しく４個であるが、８個であってもよい。ローラ２３の数が多いほど、スピンドル１回転当たりの打撃回数が増加して、接続キャップ１０の加工率が向上する。ローラ２３の材料には、耐摩耗性及び耐衝撃性に優れる高炭素・低クロムの軸受鋼が好適する。
【００５３】
ダイス２１及びバッカ２２とローラ２３の相対位置による加圧状態と非加圧状態について説明する。スピンドル２４を回転させることにより、ダイス２１及びバッカ２２が旋回するとともに、ローラ２３が自転する。バッカ２２は、ダイス２１の半径方向外側に位置しているため、旋回するバッカ２２とローラ２３とが接触し、バッカ２２のカム面２２ａがローラ２３に乗り上げることで、バッカ２２の内面がダイス２１を半径方向内側に押し込み、接続キャップ１０の外周がダイス２１の内面２１ａにより打撃され、鍛造加工が行われる。
【００５４】
バッカ２２とローラ２３とが非接触となると、遠心力でバッカ２２が半径方向外側に僅かに飛び出して、ダイス２１が接続キャップ１０から離れた状態となり、ダイス２１による打撃が一旦停止する。再び、バッカ２２とローラ２３とが接触して上記動作が繰り返し行われる。
【００５５】
図４及び図５は、ロータリスエージ加工により、接続キャップ１０の大径部１１と小径部１５とがそれぞれ圧縮された状態を示したものである。図４に示すように、大径部１１の内側に配置された芯線部１８及び絶縁被覆部１９は、大径部１１により半径方向に強く圧縮されていて、芯線部１８の素線１８ａ同士はハニカム状に変形して密着し、絶縁被覆部１９はその弾性復元力を大孔部１３の内周面に作用させた状態となっている。図５に示すように、小径部１５も大径部１１と同様に半径方向に圧縮されていて、芯線部１８は小孔部１４の内周面に密着している。
【００５６】
次ぎに、超音波溶接方法について説明する。
超音波溶接は、二つの加工物を加圧しながら、その接合界面に振動エネルギを与え、二つの加工物を溶接する方法である。振動エネルギを与えると、接合界面の滑りと内部摩擦による加熱が行われ、ある程度加工物が溶解しながら原子拡散が行われて、二つの加工物が接合界面で溶着する。超音波溶接は、溶接部近傍の熱影響層が狭いため、電子部品などの薄物の溶接や、低融点の非金属材料の溶接等に用いられている。
【００５７】
図６に示すように、超音波溶接機３０は、超音波発振器３３と、振動子３４と、ホーン３５と、チップ３２と、アンビル３１と、おもり３６とを備えている。以下に各構成部品について順に説明する。
【００５８】
通常の超音波発振器３３は、１００Ｗ〜１０ｋＷ程度の電気エネルギを出力できるようになっている。振動子３４は、磁場内に置かれた強磁性体の磁歪振動子であり、超音波発振器３３からの電気エネルギを受けて振動エネルギを発生するものである。ホーン３５は、振動子３４からの超音波振動をチップに伝えるためのものである。ホーン３５は、水平方向に配置されているが、向きを変えて上下方向に配置してもよく適宜変更可能である。
【００５９】
チップ３２とアンビル３１は、それぞれ上側と下側の工具であり、加工物としての接続キャップ１０及び端子４０を加圧した状態で挟持する。おもり３６は、チップ３２を加圧するためのものである。なお、おもり３６の代わりに、加圧手段として油圧装置を備えてもよい。
【００６０】
このような構成を備える超音波溶接機３０による加工条件の一例としては、超音波出力が数ｋＷ程度であり、超音波周波数が１５〜３０ｋＨｚであり、超音波の振幅（ホーンの振幅）が４０〜５０μｍであり、チップ３２の加圧力が３００Ｎ〜５００Ｎに設定されている。
【００６１】
このような本実施形態によれば、電線１７の端末側に接続キャップ１０が取り付けられ、芯線部１８及び絶縁被覆部１９が接続キャップ１０の挿入孔１２に挿入され、ロータリスエージ加工により接続キャップ１０が圧縮成形されて、芯線部１８及び絶縁被覆部１９が絶縁キャップ１０の挿入孔１２の内周面に隙間なく密着した状態で、接続キャップ１０と端子４０とが超音波溶接されるから、電線１７の芯線部１８を構成する複数の素線１８ａがばらけたり、芯線部１８に応力が集中したり、擦れたりすることが回避されて、素線１８ａ切れ等の損傷が防止され、しかも接続キャップ１０の内側に水や塵埃などの浸入することが防止される。
【００６２】
【発明の効果】
以上の如く、請求項１記載の発明によれば、電線の端末側に接続キャップが被さり、接続キャップの外周が全周に渡って圧縮されるから、接続キャップと芯線部とが緊密に密着する。その後に、超音波溶接機のチップとアンビルとの間に、接続キャップと端子とを重合させた状態で挟み、加圧しながら振動エネルギーを与えることで、接続キャップと端子の接合界面で滑りと内部摩擦による加熱が同時に行われ、電線と端子とが接続キャップを介して溶着する。従って、複数の素線からなる芯線部が、チップにより直接に加圧されることがないため、複数の素線がばらけたり、芯線部に応力の集中することが回避されて素線切れ等の損傷が防止される。
【００６３】
また、請求項２記載の発明によれば、ロータリスエージング装置の放射状に配設された複数のダイスが半径方向に移動して、接続キャップの外周が周期的に打撃されることで、接続キャップの外周が全周に渡って均一な応力で隙間無く圧縮され、電線の芯線部が接続キャップの挿入孔の内周面に隙間なく緊密に密着する。従って、請求項１記載の効果に加えて、芯線部と接続キャップの接触面積が増加して、固着力が強くなるとともに、電気的接触の信頼性が高まる。
【００６４】
また、請求項３記載の発明によれば、電線の絶縁被覆部が接続キャップの大孔部の内周面に密着することで、電線と接続キャップの隙間が塞がれ、水滴や塵埃等が接続キャップの中に入ることが防止されて、電気的接続の信頼性が維持される。
【００６５】
また、請求項４記載の発明によれば、端子に備わる圧着片を加締めることにより、接続部材と端子とが接続するから、溶接による固着力と加締めによる圧着力の双方の力で端子と接続部材とが接続する。従って、接続部材から端子が外れることが確実に防止されて、電気的接続の信頼性が向上する。
【図面の簡単な説明】
【図１】本発明に係る電線と端子の接続方法の一実施形態を示す分解斜視図である。
【図２】図１に示す電線と端子の接続方法において、電線の端末部に接続キャップを被せた状態を示す斜視図である。
【図３】図１に示す接続キャップの外周を圧縮成形するロータリスエージング装置の正面図である。
【図４】同じく接続キャップの大径部をロータリスエージ加工により圧縮成形した後の断面図である。
【図５】同じく接続キャップの小径部をロータリスエージ加工により圧縮成形した後の断面図である。
【図６】同じく接続キャップと端子の接続に使用された超音波溶接機の基本構成を示す図である。
【図７】従来の電線と端子の接続方法の一例を示す斜視図である。
【図８】図７に示す電線と端子とが超音波溶接されている状態を示す一部断面図である。
【符号の説明】
１０　　　　接続キャップ（接続部材）
１２　　　　挿入孔
１３　　　　大孔部
１４　　　　小孔部
１７　　　　電線
１８　　　　芯線部
１８ａ　　　素線
１９　　　　絶縁被覆部
２０　　　　ロータリスエージング装置
３０　　　　超音波溶接機
４０　　　　端子
４１　　　　電線接続部
４２　　　　圧着片
【図１】
2004071372.tif 000003
【図２】
2004071372.tif 000004
【図３】
2004071372.tif 000005
【図４】
2004071372.tif 000006
【図５】
2004071372.tif 000007
【図６】
2004071372.tif 000008
【図７】
2004071372.tif 000009
【図８】
2004071372.tif 000010